(57)【要約】【課題】使用状態によって最適な重心バランスを保ちながら掃除できる電気掃除機を提供すること。【解決手段】前方吸込口と、集塵部と、フィルターと、電動送風機と、ハンドルと、前記電動送風機を収納しかつ前記前方吸込口および前記ハンドルを構成する筐体とを有する掃除機本体と、  前記掃除機本体に外部から取り付けられるバッテリーとを備え、  前記集塵部および前記フィルターは、前記掃除機本体の前半部に配置され、  前記電動送風機および前記バッテリーは、前記掃除機本体の後半部に配置され、前記ハンドルは前後方向に延びる円弧形状に形成され、かつ前記電動送風機および前記バッテリーの上方位置に配置されたことを特徴とする電気掃除機。【選択図】図３
2015144785.tif 000002
【特許請求の範囲】
【請求項１】
前方吸込口と、集塵部と、フィルターと、電動送風機と、ハンドルと、前記電動送風機を収納しかつ前記前方吸込口および前記ハンドルを構成する筐体とを有する掃除機本体と、
前記掃除機本体に外部から取り付けられるバッテリーとを備え、
前記集塵部および前記フィルターは、前記掃除機本体の前半部に配置され、
前記電動送風機および前記バッテリーは、前記掃除機本体の後半部に配置され、
前記ハンドルは前後方向に延びる円弧形状に形成され、かつ前記電動送風機および前記バッテリーの上方位置に配置されたことを特徴とする電気掃除機。
【請求項２】
前記ハンドルは、掃除機本体の重心点を通る重心線上にユーザーの手が配置される円弧形状に形成されている請求項１記載の電気掃除機。
【請求項３】
前記筐体における前記ハンドルの下方にユーザーの手を差し入れる円弧開口部が設けられ、
前記円弧開口部の下方に位置する前記筐体の上面部分は、前記円弧開口部に沿って対面し、かつ左右両側から中央に向かって下方へ湾曲する凹曲面部を有している請求項１または２に記載の電気掃除機。
【請求項４】
前記ハンドルはその下面に１個以上の指掛け凹部を有している請求項１〜３のいずれか１つに記載の電気掃除機。
【請求項５】
前記筐体の前記凹曲面部に表示部が設けられた請求項３に記載の電気掃除機。
【発明の詳細な説明】
【技術分野】
【０００１】
本発明は、電気掃除機に関する。特にバッテリー式の電気掃除機に関する。
【背景技術】
【０００２】
従来の掃除用電気器具として、特許文献１には、集塵部と電動送風機とハンドルと蓄バッテリーとを有する掃除機本体と、掃除機本体の集塵部の前に取り付けられる吸引導管とを備えた掃除用電気器具が提案されている。
【０００３】
特許文献１の掃除用電気器具は、掃除機本体の前半部に集塵部が配置され、掃除機本体の後半部に上から電動送風機、垂直方向のハンドルおよび蓄バッテリーがこの順で配置されており、ハンドルにはトリガスイッチが設けられている。
【先行技術文献】
【特許文献】
【０００４】
【特許文献１】特開２０１３−２３６９７２号公報
【発明の概要】
【発明が解決しようとする課題】
【０００５】
掃除用電気器具を持って床面や棚等を掃除する際、その使用状態によって最適な重心バランスが変わる。
しかしながら、特許文献１の掃除用電気器具の場合、ユーザーは垂直方向のハンドルをトリガスイッチに指を掛けた状態で握りしめながら吸引導管を下、斜め下、水平、斜め上、上方等に向けて掃除しなければならない。そのため、使用状態によっては手首や肘等に負担がかかり、使い難い場合があった。
【０００６】
本発明は、このような課題に鑑みなされたものであり、使用状態によって最適な重心バランスを保ちながら掃除できる電気掃除機を提供することを目的とする。
【課題を解決するための手段】
【０００７】
かくして、本発明によれば、前方吸込口と、集塵部と、フィルターと、電動送風機と、ハンドルと、前記電動送風機を収納しかつ前記前方吸込口および前記ハンドルを構成する筐体とを有する掃除機本体と、
前記掃除機本体に外部から取り付けられるバッテリーとを備え、
前記集塵部および前記フィルターは、前記掃除機本体の前半部に配置され、
前記電動送風機および前記バッテリーは、前記掃除機本体の後半部に配置され、
前記ハンドルは前後方向に延びる円弧形状に形成され、かつ前記電動送風機および前記バッテリーの上方位置に配置された電気掃除機が提供される。
【発明の効果】
【０００８】
本発明の電気掃除機によれば、ハンドルが前後方向に延びる円弧形状であるため、ユーザーは使用状態によってハンドルの前部、中間部または後部等に持ち変えることができる。すなわち、使用状態によってハンドルの握る位置を変えることによって最適な重心バランスを保ちながら掃除でき、手首や肘等にかかる負担を軽減することができる。
【０００９】
例えば、中間高さの場所（例えば、ユーザーの腰から肩までの高さ）を掃除する際はハンドルの中間部を握ることにより掃除用電気器具の重心が前後方向中間部に位置するため前方吸込口を水平方向へ向け易くなる。また、低い場所を掃除する際はハンドルの中間部から後部の範囲内を握ることにより、掃除用電気器具の重心が前部側へ偏るため前方吸込口を下方へ向け易くなる。また、高い場所を掃除する際はハンドルの中間部から前部の範囲内を握ることにより掃除用電気器具の重心が後部側へ偏るため前方吸込口を上方へ向け易くなる。このように、掃除したい高さ位置に応じてハンドルの握る位置を変えることにより無理に手首や肘を曲げなくても楽な姿勢で掃除することができる。
【図面の簡単な説明】
【００１０】
【図１】本発明の電気掃除機の実施形態１を示す右側面図である。
【図２】実施形態１の電気掃除機の左側面図である。
【図３】実施形態１の電気掃除機の図１対応断面図である。
【図４】実施形態１の電気掃除機の平面図である。
【図５】実施形態１の電気掃除機の断面図であって（Ａ）は図３のＡ−Ａ矢視図、（Ｂ）図３のＢ−Ｂ矢視図である。
【図６】実施形態１の電気掃除機の背面図である。
【図７】実施形態１の電気掃除機の分解図である。
【図８】実施形態１におけるダストカップユニットの分解図である。
【図９】実施形態１におけるダストカップユニットの分解斜視図である。
【図１０】実施形態１の電気掃除機の使用状態を説明する図であって、（Ａ）は高い位置、（Ｂ）は中間高さ位置、（Ｃ）は低い位置を掃除する場合である。
【図１１】実施形態１の電気掃除機の使用状態を説明する図であって、天井付近を掃除する場合を示している。
【図１２】実施形態１の電気掃除機による床面清掃時の一時的な放置状態を説明する図である。
【図１３】ブラシ付きノズルを取り付けた実施形態１の電気掃除機を示す側面図である。
【図１４】先細ノズルを取り付けた実施形態１の電気掃除機を示す側面図である。
【図１５】実施形態１の電気掃除機を壁に掛けて収納する状態を説明する図である。
【図１６】肩掛けベルトを取り付けた実施形態１の電気掃除機を示す側面図である。
【図１７】実施形態２の電気掃除機を示す側面図である。
【図１８】実施形態３の電気掃除機における操作部であって、（Ａ）はラベル取付け構造の断面図、（Ｂ）はラベルの斜視図を示している。
【図１９】実施形態４の電気掃除機を示す側面図である。
【図２０】実施形態４の電気掃除機における操作部を示す部分的な斜視図である。
【図２１】実施形態５の電気掃除機の側断面図である。
【発明を実施するための形態】
【００１１】
本発明の電気掃除機は、前方吸込口と、集塵部と、フィルターと、電動送風機と、ハンドルと、前記電動送風機を収納しかつ前記前方吸込口および前記ハンドルを構成する筐体とを有する掃除機本体と、
前記掃除機本体に外部から取り付けられるバッテリーとを備え、
前記集塵部および前記フィルターは、前記掃除機本体の前半部に配置され、
前記電動送風機および前記バッテリーは、前記掃除機本体の後半部に配置され、
前記ハンドルは前後方向に延びる円弧形状に形成され、かつ前記電動送風機および前記バッテリーの上方位置に配置されている。
【００１２】
本発明の電気掃除機は、次のように構成されてもよい。
（１）前記ハンドルは、掃除機本体の重心点を通る重力線上にユーザーの手と前記ハンドルとの接点が配置される円弧形状に形成されてもよい。
このようにすれば、電気掃除機のハンドルを持つユーザーの手首や肘等にかかる負担の軽減に有効となる。
【００１３】
（２）前記筐体における前記ハンドルの下方にユーザーの手を差し入れる円弧開口部が設けられ、
前記円弧開口部の下端縁としての前記筐体の上面部分は、前記円弧開口部の上端縁としてのハンドルの内面に沿って前後方向に円弧状に湾曲し、かつ左右両側から中央に向かって下方へ湾曲する凹曲面部を有してもよい。
このようにすれば、円弧開口部の広い空間として確保することができるため、ユーザーはハンドルのどの位置にも手を差し入れ易く、かつハンドルを握る手を前後方向にスムーズに移動させることができる。
【００１４】
（３）前記ハンドルはその下面に１個以上の指掛け凹部を有してもよい。
このようにすれば、ユーザーがハンドルを握るときの位置決めを行い易くなると共に、しっかり握ることができる。
【００１５】
（４）前記筐体の前記凹曲面部に表示部が設けられてもよい。
このようにすれば、ユーザーはハンドルを握ったまま集塵部のゴミ詰まり状態やバッテリー残量状態を確認することができる。また、筐体の左右両側から中央に向かって低くなる凹曲面部に表示部が配置されたことにより、ユーザーが表示部を視易くすることができる。
【００１６】
以下、図面を参照しながら本発明の電気掃除機の実施形態を詳説する。
【００１７】
（実施形態１）
図１は本発明の電気掃除機の実施形態１を示す右側面図であり、図２は実施形態１の電気掃除機の左側面図であり、図３は実施形態１の電気掃除機の図１対応断面図である。また、図４は実施形態１の電気掃除機の平面図であり、図５は実施形態１の電気掃除機の断面図であって（Ａ）は図３のＡ−Ａ矢視図、（Ｂ）図３のＢ−Ｂ矢視図であり、図６は実施形態１の電気掃除機の背面図であり、図７は実施形態１の電気掃除機の分解図である。
本発明の電気掃除機１００は、掃除機本体１０と、掃除機本体１０に着脱可能に装着されるダストカップユニット２０と、バッテリーＢとを備える。
【００１８】
＜掃除機本体およびバッテリー＞
掃除機本体１０は、電動送風機Ｍと、回路基板Ｋ、Ｎと、複数のスイッを有する操作部Ｓと、電動送風機Ｍおよび複数のスイッチ等を収納する筐体とを有する。
【００１９】
図１〜図７に示すように、筐体は、吸込口部材１１ａと、電動送風機Ｍを収納する電動送風機カバー１１ｂと、回路基板Ｋを格納する回路格納部材１１ｃと、吸込口部材１１ａの後部に組み付けられて電動送風機カバー１１ｂの前方開口部と連結する連結部材１１ｄと、回路格納部材１１ｃの後部に組み付けられるバッテリー収容ケース１１ｅと、一対の左右カバー部材１１ｆと、組み付けられた一対の左右カバー部材１１ｆの上方開口部を施蓋する上カバー部材１１ｇと、上カバー部材１１ｇに取り付けられる下ハンドル部材１１ｈ1と、下ハンドル部材１１ｈ1に取り付けられる上ハンドル部材１１ｈ2とを含み、これらが一体的に組み立てられる。なお、下ハンドル部材１１ｈ1と上ハンドル部材１１ｈ2とからハンドルｈが構成される。
【００２０】
吸込口部材１１ａは、筒形の部材であり、前方に開口する前方吸込口１１ａ1と、前方吸込口１１ａ1よりも後方に設けられて上方に開口する排出口１１ａ2と、前方吸込口１１ａ1と排出口１１ａ2とを連通させる内部通風路１１ａ3とを有する。また、吸込口部材１１ａの上面の前端には、上方へ突出して後方へ折れ曲がったＬ形の係止突片１１ａ4が設けられている。なお、排出口１１ａ2の開口端縁には気密を保つためにパッキンが設けられている。
【００２１】
電動送風機カバー１１ｂは、収納した電動送風機Ｍの吸引口側および排気口側に配置された前方開口部および複数の小孔からなる後方排気口１１ｂ1を有する。
【００２２】
回路格納部材１１ｃは、電動送風機Ｍを収納した電動送風機カバー１１ｂを支持する部材であり、電動送風機Ｍからの空気流を流通させる複数の小孔からなる通気口１１ｃ1が形成された左右側壁および後壁を有している。
【００２３】
連結部材１１ｄは、筒部１１ｄ1と、筒部１１ｄ1の前端に設けられた前フランジ部１１ｄ2と、筒部１１ｄ1の後端に設けられた後フランジ部１１ｄ3とを有する。前フランジ部１１ｄ2は、後述するダストカップユニット２０のカップカバー２４と嵌合するサイズおよび形状に形成されており、カップカバー２４との当接部位にはパッキンおよび係止凹部１１ｄ4が設けられている。後フランジ部１１ｄ3は、電動送風機カバー１１ｂの前記前方開口部と嵌合するサイズおよび形状に形成されており、電動送風機カバー１１ｂとの当接部位にはパッキンが設けられてネジにて連結している。
【００２４】
バッテリー収容ケース１１ｅは、上壁１１ｅ1、前壁１１ｅ2、左右側壁１１ｅ3を有する下方および後方開口状の箱形に形成されている。そして、左右側壁１１ｅ3の内面には段状または溝状の前後方向に延びる左右一対のガイドレールが形成されると共に、前壁１１ｅ2にはバッテリーＢの複数の電極端子ｂ3と個別に電気的に接続する複数の導電部材が設けられている。なお、図示省略するが、各導電部材はリード線を介して回路基板Ｋに電気的に接続され、回路基板Ｋは後述する操作部Ｓの第１〜第４スイッチｓ1〜ｓ4および電動送風機Ｍとリード線を介して電気的に接続されている。
【００２５】
一方、バッテリーＢにおいて、左右側面にはバッテリー収容ケース１１ｅ左右一対のガイドレールに沿ってスライド可能に係止する左右一対の係止凸部ｂ1が設けられ、上面には凹部ｂ2が設けられ、上面から前面に亘って前記複数の電極端子ｂ3が設けられている。
また、バッテリー収容ケース１１ｅの上壁１１ｅ2の前端側には回路基板Ｎが固定されると共に、上壁１１ｅ2の後端側にはバッテリー係脱機構３０が設けられている。
【００２６】
このバッテリー係脱機構３０は、係止爪３１ａを有する係止部材３１と、弾発部材と、係止解除ボタン３３とを備える。
係止部材３１は、前記係止爪３１ａと、この係止爪３１ａに連設された斜片部とを有する。
弾発部材３２は、前記斜片部を介して係止爪３１ａをバッテリー収容ケース１１ｅの外部へ突出する方向へ弾発的に付勢する。
係止解除ボタン３３は、前記斜片部に摺接可能な接触端部を有すると共に、前記接触端部と連設されてバッテリー収容ケース１１ｅの外部に露出するボタン端部３３ａとを有する。
【００２７】
バッテリーＢをバッテリー収容ケース１１ｅに装着する際、係止爪３１ａは、バッテリーＢの上面に摺接しながら押されて引っ込むが、弾発部材３２によって外部へ突出する方向に付勢されているため、移動してきたバッテリーＢの凹部ｂ2に係止する。一方、係止解除ボタン３３のボタン端部３３ａを押すことにより、弾発部材３２の付勢力に抗して係止部材３１の斜片部が押圧されて係止爪３１ａがバッテリー収容ケース１１ｅの内部へ引っ込む。これにより係止爪３１ａがバッテリーＢの凹部ｂ2から離脱するため、バッテリーＢをバッテリー収容ケース１１ｅから引き抜くことができる。
【００２８】
一対の左右カバー部材１１ｆは、吸込口部材１１ａ、電動送風機カバー１１ｂ、回路格納部材１１ｃ、連結部材１１ｄおよびバッテリー収容ケース１１ｅを左右および下方から覆いかつ支持するように構成されている。一対の左右カバー部材１１ｆは、電動送風機Ｍに対応する位置に円盤形状部１１ｆ1を有しているが、実施形態１の場合、右カバー部材１１ｆの円盤形状部１１ｆ1には複数の孔からなる排気口１１ｆ2が設けられ、左カバー部材１１ｆの円盤形状部１１ｆ1には排気口１１ｆ2が設けられていない。この点については後述する。
【００２９】
図４と図５に示すように、上カバー部材１１ｇは、前方または後方から視ると左右両側から中央に向かって下方へ湾曲する凹曲面部１１ｇ1を有している。一方、上カバー部材１１ｇの左右両端は一対の左右カバー部材１１ｆの円盤形状部１１ｆ1の円弧状の上縁に沿って取り付けられる形状であるため、左右方向から視た凹曲面部１１ｇ1の断面形状は円弧状である。
【００３０】
また、凹曲面部１１ｇ1には、表示部Ｄおよび運転ランプＬが設けられている。表示部Ｄには、例えば、電池残量、ゴミ詰まり状態（ゴミ捨ての時期）等が表示される。表示部Ｄおよび運転ランプＬは、これらがユーザーから見えやすいように、凹曲面部１１ｇ1の左右中央よりも左右一方側に配置される。
【００３１】
図１〜図３に示すように、ハンドル１１ｈは、前後方向に延びる円弧形状に形成されており、電動送風機ＭおよびバッテリーＢの上方位置に配置されている。これにより、筐体におけるハンドル１１ｈの下方にユーザーの手を差し入れる円弧開口部Ｈが形成される。ハンドル１１ｈ、円弧開口部Ｈおよび凹曲面部１１ｇ1は、左右方向から視て、左右カバー部材１１ｆの円盤形状部１１ｆ1の中心軸Ｐを中心とする略同心円状に配置されている。
【００３２】
ハンドル１１ｈの下部を構成する下ハンドル部材１１ｈ1の前端は上カバー部材１１ｇの前端および連結部材１１ｄの上端と結合し、下ハンドル部材１１ｈ1の後端は上カバー部材１１ｇの後端およびバッテリー収容ケース１１ｅの後端と結合する。
この下ハンドル部材１１ｈ1の内部には操作部Ｓの後述する第１〜第４スイッチｓ1〜ｓ4の図示しない各スイッチ本体および各スイッチ本体と電気的に接続されたリード線が収納されている。
【００３３】
ハンドル１１ｈの上部を構成する上ハンドル部材１１ｈ2は、下ハンドル部材１１ｈ1の上方開口部を覆うカバーであると共に、第１〜第４スイッチｓ1〜ｓ4の各スイッチ本体の押しボタン部と個別に当接する４個の当接部を構成している。各当接部は、上ハンドル部材１１ｈ2の一部に略Ｕ形の切れ込みを形成することにより板バネのように上下方向に弾性変形可能に構成されており、ユーザーは当接部を介してスイッチ本体の押しボタン部を押すことにより所定の操作を行うことができる。
【００３４】
ハンドル１１ｈと上カバー部材１１ｇによって形成される円弧開口部Ｈは中心角度αが１００〜１４０°の円弧形状に形成されており、実施形態１の場合、中心角度αは約１３０°である。中心角度α１００〜１４０°の範囲で円弧開口部Ｈを形成することにより、ハンドル１１ｈが大きくなり過ぎず、かつユーザーが握ることができるハンドル１１ｈの前後方向の範囲を十分に確保することができる。
【００３５】
図４に示すように、ハンドル１１ｈの上部には前記操作部Ｓの第１〜第４スイッチｓ1〜ｓ4が設けられており、例えば、第１スイッチｓ1は電動送風機ＭをＯＦＦするスイッチであり、第２スイッチｓ2は電動送風機をＯＮするスイッチであり、第３スイッチｓ3は電動送風機を最大入力でＯＮするスイッチであり、第４スイッチｓ4は後述する吸込口体５０（図１０参照）の吸込口に設けられたブラシ回転をＯＮ／ＯＦＦするスイッチである。これらのスイッチは手の親指で押して操作することができる。なお、上ハンドル部材１１ｈ2の操作部対応領域には第１〜第４スイッチｓ1〜ｓ4を表示する粘着シートが貼り付けられている。
【００３６】
また、組み付けられた左右カバー部材１１ｆの下面の後部には、左右方向の幅が広いＵ形のフック掛け部材４１が取り付けられている。このフック掛け部材４１の役割については後述する。
【００３７】
＜ダストカップユニット＞
図８は実施形態１におけるダストカップユニットの分解図であり、図９は実施形態１におけるダストカップユニットの分解斜視図である。
ダストカップユニット２０は、ダストカップ２１と、第１フィルター部２２と、第２フィルター部２３と、カップカバー２４とを備える。
【００３８】
ダストカップ２１は、底壁２１ａおよび周囲壁２１ｂを有する円筒形に形成され、その軸心方向一端側に上方開口部２１ｃを有し、周囲壁における上方開口部２１ｃの近傍に流入口２１ｄおよび第１ロック部材２１ｅが設けられている。さらに、ダストカップ２１は、底壁２１ａにおける流入口２１ｄと同じ側に係止凹部２１ｆを有している。
【００３９】
第１フィルター部２２は、ダストカップ２１の上方開口部２１ｃと気密に嵌合しかつ第２フィルター部２３のフィルター本体２３ａを気密に収容する上部カップ部２２ａと、上部カップ部２２ａの中心孔２２ａ1と連通連結する筒状のメッシュフィルター２２ｂと、メッシュフィルター２２ｂの外周に設けられた内筒体２２ｃと、内筒体２２ｃの下端に連結しかつダストカップ２１の底面に当接する円筒状支持部２２ｄとを有する。
【００４０】
第２フィルター部２３は、中心孔を有するプリーツ状のフィルター本体２３ａと、フィルター本体２３ａを除塵する除塵機構２３ｂとを有する。実施形態１の場合、フィルター本体２３ａとして高集塵フィルターが用いられている。また、フィルター本体２３ａの外周面にはパッキンが設けられている。
【００４１】
除塵機構２３ｂは、フィルター本体２３ａの中心孔に挿入された軸部２３ｂ1と、フィルター本体２３ａの外周部に設けられた環状部２３ｂ2と、軸部２３ｂ1と環状部２３ｂ2とを連結する放射状に設けられた複数の連結部２３ｂ3と、各連結部２３ｂ3に設けられた複数の当接部２３ｂ4とを有する。
【００４２】
各連結部２３ｂ3にはリブ２３ｂ31が設けられており、リブ２３ｂ31を手動で回すことによりフィルター本体２３ａの各山襞に各当接部２３ｂ4が衝突してフィルター本体２３ａが振動し、それによってフィルター本体２３ａに付着した塵埃が第１フィルター部２２の上部カップ部２２ａ内に落下する。
【００４３】
実施形態１の場合、当接部２３ｂ4は、フィルター本体２３ａに当接する図示しない弾丸形状の当接部材と、当接部材をフィルター本体２３ａ側に付勢する図示しないコイルスプリングと、当接部材およびコイルスプリングを保持しかつ連結部２３ｂ3に連結するホルダ部２３ｂ21とを有する。
【００４４】
第２フィルター部２３を第１フィルター部２２の上部カップ部２２ａ内に収容し、かつ上部カップ部２２ａをダストカップ２１の上方開口部２１ｃに嵌め込んだ後、第２フィルター部２３を覆うようにカップカバー２４をフィルター本体２３ａの外周面を介して嵌め込む。なお、上部カップ部２２ａにフィルター部２３が収納されていない場合、カップカバー２４が嵌め込めないように上部カップ部２２ａには忘れ防止機構２２ｆが設けられている。忘れ防止機構２２ｆは、フィルター部２３に第２フィルター部２３が装着されていない場合、忘れ防止機構２２ｆがカップカバー２１の一部に引っ掛かる位置に移動することで、カップカバー２１が第１フィルター部２２に装着できないようになることで忘れ防止機構として機能する。
【００４５】
このカップカバー２４は、除塵機構２３ｂを回す際にユーザーの手が差し入れられるよう円形の窓部２４ａが設けられている。また、カップカバー２４の外周面には、相互に係合した第２ロック部材２４ｄおよび忘れ防止機構２２ｆを収納する囲い部２４ｂが設けられると共に、囲い部２４ｂの反対側には掃除機本体１０の係止凹部１１ｄ4と係脱可能に係合する係止爪２４ｃ1を有する第３ロック部材２４ｃが設けられている。また、カップカバー２４の外周面には前記第１ロック部材２１ｃの係合爪２１ｃ1と係合する係合凹部２２ｅが設けられている。
【００４６】
ダストカップユニット２０を掃除機本体１０に装着する際は、ダストカップ２１の係止凹部２１ｆを掃除機本体１０の係止突片１１ａ4に引っ掛けながら、ダストカップユニット２０を掃除機本体１０の吸込口部材１１ａに対して平行にさせる。これにより、ダストカップユニット２０の第３ロック部材２４ｃの係止爪２４ｃ１が掃除機本体１０の係止凹部１１ｄ4に係止する。このとき、掃除機本体１０の吸込口部材１１ａとダストカップユニット２０の流入口２１ｄとがパッキンを介して気密に接続する。一方、第３ロック部材２４ｃを操作して係止爪２４ｃ1を係止凹部１１ｄ4から離脱させればダストカップユニット２０を掃除機本体１０から取り外すことができる。
【００４７】
＜電気掃除機の全体構成＞
このように構成された実施形態１の電気掃除機１００は、図３に示すように、上方および側方から視て、集塵部としてのダストカップ２１、フィルターとしての第２フィルター部２３、電動送風機ＭおよびバッテリーＢが前方からこの順に略直線的に並んで配置されている。
【００４８】
また、この電気掃除機１００において、円弧形状のハンドル１１ｈの下方に重量物である電動送風機ＭおよびバッテリーＢが配置されているため、ハンドル１１ｈの円弧形状の中心軸Ｐ付近、すなわち、左右カバー部材１１ｆの円盤形状部１１ｆ1の中心軸Ｐ付近が電気掃除機１００の重心となっている。
【００４９】
＜電気掃除機の使用状態について＞
この電気掃除機１００を用いて室内の掃除を行う際には、掃除する場所に応じて、掃除機本体１０の吸込口部材１１ａの前方吸込口１１ａ1に、例えば、図１２で示すような吸込口体５０を接続パイプ６０およびブラシ付きノズル７０を介して接続する、あるいは、図１２および１３に示すようにブラシ付きノズル７０から接続パイプ６０を抜き取ってブラシ７１を前方へ折り返す、あるいは、図１４で示すような先細ノズル８０を接続して掃除する。
【００５０】
操作部Ｓの第２スイッチｓ2または第３スイッチｓ3をＯＮ操作して電動送風機Ｍを駆動させることにより、図３中の太線矢印に示すように、塵埃等のゴミを含む空気が掃除機本体１０の吸込口部材１１ａの内部を通過してダストカップ２１内に流入する。ダストカップ２１内に流入した塵埃を含む空気はダストカップ２１内を旋回し、それによって大きなゴミは遠心分離されてダストカップ２１の底壁２１ａ側へ寄せられる。
【００５１】
大きなゴミが取り除かれた空気において、第１フィルター部２２のメッシュフィルター２２ｂの網目よりも大きいゴミはダストカップ２１内に留まり、網目よりも小さなゴミ（主に塵埃）は空気と共に第２フィルター部２３へ向かう。そして、小さなゴミはフィルター本体２３ａにて捕捉され、ゴミをほぼ含まない空気がフィルター本体２３ａを通過して電動送風機Ｍ内に流入し、電動送風機カバー１１ｂの後方排気口１１ｂ1および回路格納部材１１ｃの通気口１１ｃ1を通って掃除機本体１０の後方のスペースに流入し、右カバー部材１１ｆの排気口１１ｆ2から外部に排出される。
【００５２】
このとき、排気口１１ｆ2は左カバー部材１１ｆに設けられていないため、後方排気口１１ｂ1および通気口１１ｃ1から排出された空気の大部分を回路基板Ｎの方へ回り込ませ、それによって回路基板Ｎを効率よく空冷することができるようにしてもよい。
【００５３】
図１０は実施形態１の電気掃除機の使用状態を説明する図であって、（Ａ）は高い位置、（Ｂ）は中間高さ位置、（Ｃ）は低い位置を掃除する場合である。
この電気掃除機１００はハンドル１１ｈが円弧形状であるため、ハンドル１１ｈを持つ位置を変えることで電気掃除機１００の重心バランスを変えることができる。
【００５４】
例えば、図１０（Ａ）に示すように、手の人差し指に引っ掛けるようにしてハンドル１１ｈの前部を持つと、重力線Ｇを通る位置またはその付近に人差し指とハンドル１１ｈとの接点Ｑ１および中心軸Ｐが並ぶ。つまり、このような持ち方をすると電気掃除機１００の重心バランスが中心軸Ｐよりもやや後部（バッテリーＢ側）に変わり、吸込口部材１１ａが自然と上向きになるため、ユーザーは手首を無理に捻ることなく楽な姿勢で高い位置を掃除することができる。
【００５５】
また、手の人差し指に引っ掛けるようにしてハンドル１１ｈの図１０（Ｂ）で示す位置（操作部Ｓ側）を持つと、重力線Ｇを通る位置またはその付近に人差し指とハンドル１１ｈとの接点Ｑ２および中心軸Ｐが並ぶ。つまり、このような持ち方をすると電気掃除機１００の重心バランスがほぼ中心軸Ｐ付近に変わり、吸込口部材１１ａが自然と水平になるため、ユーザーは手首を無理に捻ることなく楽な姿勢で中間の高さ位置（例えば、ユーザーの腰から肩の高さ範囲）を掃除することができる。
【００５６】
また、手の人差し指に引っ掛けるようにしてハンドル１１ｈの図１０（Ｃ）で示す位置を持つと、重力線Ｇを通る位置またはその付近に人差し指とハンドル１１ｈとの接点Ｑ３および中心軸Ｐが並ぶ。つまり、このような持ち方をすると電気掃除機１００の重心バランスが中心軸Ｐよりもやや前部（操作部Ｓ側）に変わり、吸込口部材１１ａが自然と下向きになるため、ユーザーは手首を無理に捻ることなく楽な姿勢で低い位置を掃除することができる。
【００５７】
図１０（Ａ）〜（Ｃ）のように、本発明の電気掃除機１００において、ハンドル１１ｈは、掃除機本体１０の中心軸Ｐ付近の重心点を通る重心線上にユーザーの手が配置される円弧形状に形成されている。
【００５８】
図１１は実施形態１の電気掃除機の使用状態を説明する図であって、天井付近を掃除する場合を示している。
図１１に示すように、例えば、天井や天井付近の壁等を掃除する場合、電気掃除機１００をユーザーの真上近くまで持ち上げる。この場合も、ハンドル１１ｈの最も後端を握ることにより、中心軸Ｐ付近の重心点を通る重力線Ｇ上にユーザーの手を配置させることができる。しかも、ユーザーの腕にて電気掃除機の重量を下方から支えるため、手首に負担がかかり難い。
【００５９】
筐体におけるハンドル１１ｈの下部が下方へ湾曲して広い空間が確保されているため、図１０（Ａ）〜（Ｃ）および図１１のいずれの場合においてもハンドル１１は握り易くなっている（図５参照）。また、この広い空間に面する凹曲面部１１ｇ1に表示部Ｄが配置されているためユーザーから見え易い。なお、実施形態１の電気掃除機１００は右利き仕様であるため、使用状態において表示部Ｄは見え易いようにハンドル１１ｈに対して左側に配置され、排気口１１ｆ2は排気がユーザーに吹きかからないようにハンドル１１ｈに対して右側に配置されている。左利き仕様は右利き仕様と逆の配置にしてもよい。
【００６０】
図１２に示すように、吸込口体５０を取り付けて床面を掃除する際は、ハンドル１１ｈの図１０（Ｃ）で示した位置付近を握って掃除すれば前後方向の力を伝えやすく軽い力でかつ楽な姿勢で掃除することができる。この場合、掃除機本体１０のフック掛け部材４１をテーブルＴの外周端に引っ掛けることにより一時的に電気掃除機１００を立て掛けておくことができ、ユーザーはその間、例えば、椅子を移動させたりテーブルＴ  の下を片付けたりする別の作業をすることができる。
【００６１】
また、掃除が終了した後、図１５に示すように壁ＷのフックＦにフック掛け部材４１を引っ掛けて電気掃除機１００を収納することができる。
また、フック掛け部材４１の外周はゴムなどの軟質材が被されており、例えば、電気掃除機１００を床面上に置いたときに、バッテリーＢが床面に接触することなく浮き上がり、床面への傷付きもなく、バッテリーＢが床面に衝突して故障するという不具合を抑制することができる。
【００６２】
また、掃除機本体１０を起てた状態でも、ダストカップユニット２０の軸と接続パイプ６０の軸とが略平行に配置することにより、ダストカップユニット２０を掃除機本体１０から容易に取り外すことができ、ダストカップ２１に溜まった塵埃を容易に捨てることができる。
また、電気掃除機１００を壁Ｗに引っ掛けた状態にて、バッテリー係脱機構３０の係止解除ボタンが操作できる位置にあるので、係止解除ボタンを操作することでバッテリーＢを取り外すことができる。したがって、壁ＷにフックＦを使って収納したままの状態で容易にバッテリーＢの取り外しが可能となる。
【００６３】
また、図１６に示すように、フック掛け部材４１は、肩掛けベルト９０を通す孔としても利用できる。この場合、フック掛け部材４１の孔とハンドル１１ｈの円弧開口部Ｈに肩掛けベルトを通し、肩掛けベルトを肩に掛けた状態でハンドル１１ｈを持って電気掃除機１００にて掃除することもできる。
【００６４】
また、ダストカップ２１内のゴミを廃棄する際は、例えば、前述のようにダストカップユニット２０を掃除機本体１０から取り外し、次いで、除塵機構２３ｂにてフィルター本体２３ａに付着した塵埃を上部カップ部２２ａを介してダストカップ２１内に落とし込んで清掃する。その後、第１ロック部材２１ｃの係合爪２１ｃ1を係合凹部２２ｅから離脱させ、ダストカップ２１を第１フィルター部２２から分離させて内部のゴミを廃棄する。このとき、図８のようにダストカップユニット２０を分解して各部品を清掃してもよい。
【００６５】
（実施形態２）
図１７は実施形態２の電気掃除機を示す側面図である。なお、図１７において、図２中の要素と同様の要素には同一の符号を付している。
実施形態２の電気掃除機２００において、ハンドル２１１ｈはその下面（下ハンドル部材２１１ｈ1の下面）に３個の指掛け凹部２１１ｈ11、２１１ｈ12、２１１ｈ13を前後方向に所定間隔で有している。実施形態２におけるその他の構成は実施形態１と同様である。
【００６６】
実施形態２の場合、ハンドル２１１ｈの上部の操作部Ｓの前後方向中間付近から後方へ３個の指掛け凹部２１１ｈ11、２１１ｈ12、２１１ｈ13が配置されているが、この位置に限定されるものではなく、この位置よりも前あるいは後に配置されてもよく、ハンドル２１１全体に亘って３個以上の指掛け凹部が設けられてもよい。すなわち、指掛け凹部の数は３個に限定されず、１個以上（例えば、１個、２個または４個以上）でもよく、ハンドル２１１ｈの下面を部分的または全体的に波形にしてもよい。
【００６７】
実施形態２の場合、ハンドル２１１ｈの最も前に配置された指掛け凹部２１１ｈ11に人差し指を掛けて図１０（Ａ）または（Ｂ）で説明した状態で電気掃除機２００を使用すること、ハンドル２１１ｈの前後方向中間位置に配置された指掛け凹部２１１ｈ12に人差し指を掛けて図１０（Ｂ）または（Ｃ）で説明した状態で使用すること、あるいは、ハンドル２１１ｈの最も後に配置された指掛け凹部２１１ｈ13に人差し指を掛けて図１０（Ｃ）で説明した状態で使用することができる。いずれの使用状態でも指掛け凹部に人差し指を掛けることによりハンドル２１１ｈを滑らせずにしっかりと握ることができる。
【００６８】
（実施形態３）
図１８は実施形態３の電気掃除機における操作部であって、（Ａ）はラベル取付け構造の断面図、（Ｂ）はラベルの斜視図を示している。なお、図１８において、図３中の要素と同様の要素には同一の符号を付している。
【００６９】
実施形態３の電気掃除機において、ハンドル３１１ｈの上ハンドル部材３１１ｈ2における操作部対応領域の前端および後端にはスリットＲが設けられている。
一方、上ハンドル部材３１１ｈ2における操作部対応領域に貼り付けられる粘着シートＹは、第１〜第４スイッチが印刷により表示された表示部ｙ1〜ｙ4を有するシート本体Ｙａと、シート本体Ｙａの裏面に積層された粘着剤層Ｙｂとを有し、シート本体Ｙａの前後端部には前後のスリットＲに差し込まれる差込み片Ｙａ1が設けられている。
【００７０】
粘着剤層Ｙｂを上ハンドル部材３１１ｈ2における操作部対応領域に貼り付けることに加え、前後一対の差込み片Ｙａ1に差し込むことにより、ユーザーの指で粘着シートＹが擦れても剥がれ難くすることができる。
なお、実施形態３において、その他の構成は実施形態１と同様である。
【００７１】
（実施形態４）
図１９は実施形態４の電気掃除機を示す側面図であり、図２０は実施形態４の電気掃除機における操作部を示す部分的な斜視図である。なお、図１９と図２０において、図２と図４と図１９中の要素と同様の要素には同一の符号を付している。
【００７２】
実施形態４の電気掃除機４００において、ハンドル４１１ｈの上ハンドル部材４１１ｈ2における操作部対応領域は、上ハンドル部材４１１ｈ2の外周縁４１１ｈ21よりも内側に陥没している。それによって、上ハンドル部材４１１ｈ2の操作部対応領域の左右両側には操作部Ｓに対して相対的に盛り上がった隆起壁部４１１ｈ22が形成されている。
【００７３】
対向する一対の隆起壁部４１１ｈ22を操作部Ｓの左右両側に設けることにより、電気掃除機４００を用いて掃除する際、ハンドル４１１ｈを握った親指が不意に第１〜第４スイッチｓ1〜ｓ2のいずれかに当たってユーザーが意図しない操作をしてしまうという不具合を抑制することができる。
【００７４】
（実施形態５）
図２１は実施形態５の電気掃除機の側断面図である。なお、図２１において、図３と図８中の要素と同様の要素には同一の符号を付している。
【００７５】
実施形態５の電気掃除機５００の場合、フィルターユニット５２０の第２フィルター部５２３には実施形態１で説明した除塵機構２３ｂが省略されている。この場合、第２フィルター部５２３のフィルター本体としては、例えば、メッシュのようなシンプルなフィルターが用いられてもよい。
【００７６】
実施形態５の電気掃除機５００では、ダストカップ２１内のゴミを廃棄した後の第２フィルター部のメンテナンスは、カップカバー２４を取り外して中に収納されているメッシュフィルターを刷毛またはブラシ等を用いて清掃すればよい。
なお、実施形態５におけるその他の構成は実施形態１と同様である。
【００７７】
なお、開示された実施の形態は、全ての点で例示であって制限的なものではないと考えられるべきである。例えば、本発明の電気掃除機は、サイクロン方式の集塵部に限定されず、紙パック方式の集塵部にも適用可能である。本発明の範囲は上述の説明ではなくて特許請求の範囲によって示され、特許請求の範囲と均等の意味及び範囲内での全ての変更が含まれることが意図される。
【符号の説明】
【００７８】
１０  掃除機本体
１１ａ  吸込口部材（筐体の一部）
１１ａ1  前方吸込口
１１ｂ  電動送風機カバー１１ｂ（筐体の一部）
１１ｃ  回路格納部材（筐体の一部）
１１ｄ  連結部材（筐体の一部）
１１ｅ  バッテリー収容ケース（筐体の一部）
１１ｆ  左右カバー部材（筐体の一部）
１１ｇ  上カバー部材（筐体の一部）
１１ｇ1  凹曲面部
１１ｈ、２１１ｈ、３１１ｈ、４１１ｈ  ハンドル
１１ｈ1、２１１ｈ1  下ハンドル部材（筐体の一部）
１１ｈ2、３１１ｈ2  上ハンドル部材（筐体の一部）
２０  ダストカップユニット（集塵部）
２１  ダストカップ
２２  第１フィルター部
２３  第２フィルター部
２１１ｈ11〜２１１ｈ13  指掛け凹部
Ｂ  バッテリー
Ｄ  表示部
Ｈ  円弧開口部
Ｍ  電動送風機
α  中心角度
【図１】
2015144785.tif 000003
【図２】
2015144785.tif 000004
【図３】
2015144785.tif 000005
【図４】
2015144785.tif 000006
【図５】
2015144785.tif 000007
【図６】
2015144785.tif 000008
【図７】
2015144785.tif 000009
【図８】
2015144785.tif 000010
【図９】
2015144785.tif 000011
【図１０】
2015144785.tif 000012
【図１１】
2015144785.tif 000013
【図１２】
2015144785.tif 000014
【図１３】
2015144785.tif 000015
【図１４】
2015144785.tif 000016
【図１５】
2015144785.tif 000017
【図１６】
2015144785.tif 000018
【図１７】
2015144785.tif 000019
【図１８】
2015144785.tif 000020
【図１９】
2015144785.tif 000021
【図２０】
2015144785.tif 000022
【図２１】
2015144785.tif 000023